(57)【要約】【課題】入力されたクロック信号に同期してデータ処理を実行するデータ処理回路に対して、高周波クロック信号の入力を制御することにより出力時以外の消費電力及びノイズ発生の増大を抑制する制御装置を提供する。【解決手段】制御装置は、データ処理用のクロック信号を出力する第１のクロック出力手段１２１０と、データ処理用のクロック信号よりも周波数の低い待機用のクロック信号を出力する第２のクロック出力手段１２２０と、データ処理用のクロック信号と待機用のクロック信号とを切替て、データ処理回路へ出力する切替部１２３０とを備える。制御装置の制御部１１１０、１２５０または１２９０は、データ処理回路でデータ処理を実行する期間中にデータ処理用のクロック信号を出力するように切替部１２３０を制御すると共に、データ処理回路がデータ処理をしていない期間中に待機用のクロック信号を出力するように切替部１２３０を制御する。【選択図】図２
2011233140.tif 000002
【特許請求の範囲】
【請求項１】
入力されたクロック信号に同期してデータ処理を実行するデータ処理回路に対する前記クロック信号の出力を制御する制御装置であって、
データ処理用の第１のクロック信号を出力する第１のクロック出力ユニットと、
前記データ処理用の第１のクロック信号よりも周波数の低い第２のクロック信号を出力する第２のクロック出力ユニットと、
前記クロック信号を前記第１のクロック出力ユニットから出力されたデータ処理用の第１のクロック信号と前記第２のクロック出力ユニットから出力された第２のクロック信号との間で切替えて、前記データ処理回路へ出力する切替ユニットと、
前記データ処理回路でデータ処理を実行する期間中に前記データ処理用の第１のクロック信号を出力するように前記切替ユニットを制御すると共に、前記データ処理回路がデータ処理を実行していない期間中に前記第２のクロック信号を出力するように前記切替ユニットを制御する制御ユニットと、
を有することを特徴とする制御装置。
【請求項２】
画像形成部へ用紙を搬入する搬送路上に配置された前記用紙の先端と後端を検出するセンサをさらに備え、
前記データ処理回路は、前記画像形成部による画像形成のためのデータ処理を行う回路として構成し、
前記制御ユニットは、前記センサが搬送されている前記用紙の先端を検出したときに出力する紙先端検知信号を受信して画像出力開始信号を出力すると共に、前記センサが前記用紙の後端を検出したときに出力された紙後端検知信号を受信して画像出力終了信号を出力する選択ユニットと、
前記選択ユニットから前記画像出力開始信号を受信して、前記データ処理用の第１のクロック信号を出力するように前記切替ユニットを制御すると共に、前記選択ユニットから前記画像出力終了信号を受信して、前記第２のクロック信号を出力するように前記切替ユニットを制御する検知ユニットとを備えることを特徴とする請求項１記載の制御装置。
【請求項３】
画像形成部へ用紙を搬入する搬送路上に配置された前記用紙の先端と後端を検出するセンサをさらに備え、
前記データ処理回路は、前記画像形成部による画像形成のためのデータ処理を行う回路として構成し、
前記制御ユニットは、前記センサが搬送されている前記用紙の先端検知時に生成される信号を受信して、前記データ処理用の第１のクロック信号を出力するように前記切替ユニットを制御すると共に、前記センサが搬送されている前記用紙の後端検知時に生成される信号を受信して、前記第２のクロック信号を出力するように前記切替ユニットを制御することを特徴とする請求項１記載の制御装置。
【請求項４】
画像形成部へ用紙を搬入する搬送路上に配置された前記用紙の先端を検出するセンサをさらに備え、
前記データ処理回路は、前記画像形成部による画像形成のためのデータ処理を行う回路として構成し、
前記制御ユニットは、前記センサが搬送されている前記用紙の先端検知時に生成される信号を受信して、前記データ処理用の第１のクロック信号を出力するように前記切替ユニットを制御すると共に、前記用紙の上に形成される有効画像の出力終了時に生成される信号を受信して、前記第２のクロック信号を出力するように前記切替ユニットを制御することを特徴とする請求項１記載の制御装置。
【請求項５】
前記切替ユニットは、クロック信号をＬＯＷの区間で切替えることを特徴とする請求項１記載の制御装置。
【発明の詳細な説明】
【技術分野】
【０００１】
本発明は、データ処理回路の制御装置に関する。
【背景技術】
【０００２】
従来、画像データを印刷するプリンタでは、画像データをテーブルによるパターン変換で多値化した後、パラレル−シリアル変換を施してプリンタエンジンに出力するものが提案されている（例えば、特許文献１参照）。
【０００３】
画像データをパラレル−シリアル変換してプリンタエンジンへ出力するためには、画像出力用の元のクロック（以下、「画像出力用元クロック」という。）の周波数を逓倍（整数倍）した高周波の画像出力クロックで、データ処理回路を駆動制御することが必要となる。
【０００４】
また、プリンタでは、印刷速度高速化を図るため、画像出力用元クロックの周波数を逓倍（整数倍）して画像出力クロックの周波数を数百ＭＨｚに高めると、印刷時以外の不要のときの消費電力が増加し、ノイズ発生も増大する。
【０００５】
そこで、画像出力用元クロックの周波数を逓倍（整数倍）して画像出力クロックを出力するＰＬＬ（Phase Locked Loop）において、画像出力クロックの出力をいったん停止させ、周波数の設定を変更してから画像出力クロックの出力を再開させるように構成することが考えられる。
【０００６】
この場合には、例えば図９に示すように、コントローラが紙先端検知信号に従ってＰＬＬにクロックを入力するのを停止し、ＰＬＬによるクロック出力を一旦停止させる。次に、コントローラは、高周波設定に設定しなおしたあと、ＰＬＬへクロックを入力するのを再開する。ＰＬＬは、数百μｓｅｃ．のロックアップタイム後に高周波設定でクロックを出力する。
【先行技術文献】
【特許文献】
【０００７】
【特許文献１】特開２００３−５４０３２号公報
【発明の概要】
【発明が解決しようとする課題】
【０００８】
しかしながら、このようなＰＬＬの停止及び再開の制御では、ロックアップタイムが経過するまで画像出力の開始を待機せねばならず、時間的ロスが生じる。
【０００９】
本発明の目的は、電力の消費を抑制すると共に、ノイズ発生を抑制し、データ処理回路を駆動するためのクロック出力を停止し再開させるときに生じるロックアップタイムによる時間的ロスを低減可能に構成した制御装置を提供することにある。
【課題を解決するための手段】
【００１０】
上記目的を達成するために、請求項１記載の制御装置は、入力されたクロック信号に同期してデータ処理を実行するデータ処理回路に対する前記クロック信号の出力を制御する制御装置であって、データ処理用の第１のクロック信号を出力する第１のクロック出力ユニットと、前記データ処理用の第１のクロック信号よりも周波数の低い第２のクロック信号を出力する第２のクロック出力ユニットと、前記クロック信号を前記第１のクロック出力ユニットから出力されたデータ処理用の第１のクロック信号と前記第２のクロック出力ユニットから出力された第２のクロック信号との間で切替えて、前記データ処理回路へ出力する切替ユニットと、前記データ処理回路でデータ処理を実行する期間中に前記データ処理用の第１のクロック信号を出力するように前記切替ユニットを制御すると共に、前記データ処理回路がデータ処理を実行していない期間中に前記第２のクロック信号を出力するように前記切替ユニットを制御する制御ユニットと、を有することを特徴とする。
【発明の効果】
【００１１】
本発明によれば、データ処理時以外の消費電力及びノイズを低減することができるという効果がある。また本発明によれば、データ処理時にＰＬＬのロックアップタイムを待たずに時間的ロスを低減できるという効果がある。
【図面の簡単な説明】
【００１２】
【図１】本発明の第１実施の形態に係る制御装置を備えた画像形成装置のハードウェア構成を示すブロック図である。
【図２】図１のプリンタＩ／Ｆの機能ブロック図である。
【図３】画像形成装置によるクロック周波数設定処理のフローチャートである。
【図４】画像形成装置における用紙搬送と画像出力クロックの関係を示す説明図である。
【図５】本発明の第２実施の形態及び第３実施の形態に係る制御装置を備えた画像形成装置のプリンタＩ／Ｆの内部ハードウェア構成を示すブロック図である。
【図６】第２実施の形態に係る制御装置を備えた画像形成装置における用紙搬送と画像出力クロックの関係を示す説明図である。
【図７】第３実施の形態に係る制御装置を備えた画像形成装置によるクロック周波数設定処理のフローチャートである。
【図８】第３実施の形態に係る制御装置を備えた画像形成装置における用紙搬送と画像出力クロックの関係を示す説明図である。
【図９】従来の画像形成装置における、画像出力用元クロックの出力をいったん停止させ、周波数を変更してから再開させる場合の動作を示す説明図である。
【発明を実施するための形態】
【００１３】
以下、本発明の実施の形態を図面を参照しながら詳述する。
【００１４】
本発明の第１実施の形態に係る制御装置を備えた画像形成装置のハードウェア構成を、図１を参照して説明する。
【００１５】
図１で、１００は、画像形成装置を示し、２００は、ネットワークやＵＳＢなどのＰＣインターフェースを介して画像形成装置１００と接続されるＰＣを示す。
【００１６】
この画像形成装置１００は、画像形成装置全体を制御するためのコントローラ１０００を備える。さらに、コントローラ１０００はＡＳＩＣ(Application Specific Integrated Circuit)１１００を備える。
【００１７】
このＡＳＩＣ１１００は、コントローラ１０００各部の制御を行う制御部であるＣＰＵ１１１０と、ＰＣ２００からの印刷ジョブに画像処理を施す画像処理部１１２０を備える。
【００１８】
さらに、このＡＳＩＣ１１００は、ＰＣ２００からの印刷ジョブを受信するＰＣインターフェース（以下明細書の表記は図面と同じＩ／Ｆのままとするが、訳語はinterfaceをあてる。）１１３０、ＲＡＭ１３００とのデータ通信を行うＲＡＭＩ／Ｆ１１４０を備える。これと共に、ＡＳＩＣ１１００は、ユーザインターフェース（以下明細書の表記は図面と同じＵＩのままとするが、訳語はuser interfaceをあてる。）であるパネル１５００との通信を行うパネルＩ／Ｆ１１５０と、ＲＯＭ１４００とのデータ通信を行うＲＯＭＩ／Ｆ１１６０備える。さらに、このＡＳＩＣ１１００は、プリンタエンジン１６００への画像データ転送及び制御通信を行うプリンタＩ／Ｆ１２００を備える。
【００１９】
また、このコントローラ１０００は、制御プログラムを実行するための領域や画像処理用のワークデータを格納する領域及び画像データを格納する領域を提供するＲＡＭ１３００と、制御プログラムを格納するＲＯＭ１４００とを備える。
【００２０】
また、この画像形成装置１００は、ユーザインターフェースであるパネル１５００、印刷を行うプリンタエンジン１６００を備える。プリンタエンジン１６００は、用紙上に画像形成処理をする画像形成部１６１０と、画像形成部１６１０へ用紙を搬入する搬送路上の画像形成部１６１０より用紙の搬送方向上流側の所定に配置されて、用紙の先端と後端を検知するセンサ１６２０を備える。さらに、この画像形成装置１００は、プリンタエンジン１６００に電力を供給するＡＣ電源１７００を備える。
【００２１】
次に、プリンタＩ／Ｆ１２００の内部ハードウェア構成について、図２を参照して説明する。
【００２２】
図２において、１２１０は、画像出力用元クロックの周波数を逓倍（整数倍）し、データ処理用のクロック信号として高周波数クロック（高周波数クロック信号）を生成するＰＬＬ（第１のクロック出力ユニット）である。なお、ＰＬＬ１２１０（第１のクロック出力ユニット）は、データ処理用の第１のクロック信号を出力する。
【００２３】
図２で１２２０は、ＰＬＬ１２１０から出力された高周波数クロックを設定値にしたがって分周して、待機用のクロック信号として低周波数クロック（低周波数クロック信号）を生成する分周器（第２のクロック出力ユニット）である。なお、分周器１２２０（第２のクロック出力ユニット）は、データ処理用の第１のクロック信号よりも周波数の低い第２のクロック信号を出力する。１２２１は、画像出力用元クロックの周波数を逓倍（整数倍）するのに用いられる分周器を示す。
【００２４】
前述したＰＬＬ１２１０での逓倍（整数倍）の周波数と、分周器１２２０での周波数とは、逓倍（整数倍）設定制御部１２４０によって設定され、かつ制御される。逓倍（整数倍）設定制御部１２４０は、逓倍（整数倍）された周波数クロックがＰＬＬ１２１０から出力されるように分周器１２２１を制御する。
【００２５】
また、ＰＬＬ１２１０から出力された高周波数クロックと、分周器１２２０から出力された低周波数クロックとは、切替部１２３０で切替られて、画像出力クロックとして出力される。この切替部１２３０は、画像出力クロックを、データ処理用のクロック信号である高周波数クロックと、待機用のクロック信号である低周波数クロックとの間で、出力信号の途切れ無しに切替えて出力する。
【００２６】
この切替部１２３０は、画像出力開始終了検知部１２５０から受信した画像出力の開始タイミング又は終了タイミングの信号に応じて、高周波数クロックと低周波数クロックとを切り替える。この切替部１２３０は、画像出力制御部１２６０やパラレルシリアル変換部１２７０がデータ処理を実行する期間中に、データ処理用のクロック信号を出力するように切替ると共に、それらが待機する期間中には、待機用のクロック信号を出力するように切替える。
【００２７】
画像出力開始終了検知部１２５０は、開始終了信号選択部１２９０で選択された画像出力開始信号または画像出力終了信号を受信して、画像出力の開始タイミング又は終了タイミングを検知する。
【００２８】
画像出力制御部１２６０は、この切替部１２３０からから出力された画像出力クロックを入力して画像出力クロックに同期してデータ処理を実行するデータ処理回路である。画像出力制御部１２６０は、プリンタエンジン１６００及びパラレルシリアル変換部１２７０に対して制御信号及び画像データの出力制御を行う。
【００２９】
また、パラレルシリアル変換部１２７０も、この切替部１２３０から出力された画像出力クロックを入力して画像出力クロックに同期してデータ処理を実行するデータ処理回路である。画像出力制御部１２６０で処理された画像データ及び出力制御信号は、パラレルシリアル変換部１２７０に入力される。
【００３０】
このパラレルシリアル変換部１２７０は、パラレル−シリアル変換用の変換テーブル１２８０を利用して、画像データのパラレル−シリアル変換を行う。
【００３１】
また、図２において、電力を必要としているところには電源供給信号を介して図１のＡＣ電源１７００から電力が供給される。
【００３２】
次に、上述した画像形成装置のクロック周波数設定処理を、図３を参照して説明する。
【００３３】
画像形成装置１００のコントローラ１０００は、電源ＯＮによるＡＣ電源１７００からの電力供給後に基本動作処理を開始する。そして、ＣＰＵ１１１０は、不図示の信号を介して、ＰＬＬ１２１０への逓倍（整数倍）高周波設定と、分周器１２２０への分周低周波設定とを、逓倍（整数倍）設定制御部１２４０に設定する（ステップＳ４０１）。逓倍（整数倍）設定制御部１２４０は、その逓倍（整数倍）高周波設定に従ってＰＬＬ１２１０から出力されるクロックの周波数を設定し、分周低周波数設定に従って分周器１２２０から出力されるクロックの周波数を設定する。
【００３４】
次に、切替部１２３０は、初期状態で、分周器１２２０から出力された低周波数クロックを選択する（ステップＳ４０２）。
【００３５】
次に、コントローラ１０００は、ＰＣ２００からＰＣ  Ｉ／Ｆ１１３０を介して印刷ジョブを受信するまで待機する。そして、コントローラ１０００は、ＰＣ２００から印刷ジョブを受信すると、画像出力を開始する。
【００３６】
すると、画像出力開始終了検知部１２５０は、後述する画像出力の開始終了検知動作により、画像出力開始を検知する（ステップＳ４０３）。
【００３７】
次に、画像出力開始を検知した画像出力開始終了検知部１２５０は、画像出力の開始タイミングを示す信号を切替部１２３０に送信し、切替部１２３０はＰＬＬ１２１０からの高周波数クロックを選択する（ステップＳ４０４）。この際に、切替部１２３０は、短い周期のパルスが出ないように、画像出力クロックをＬＯＷの区間で切替える。
【００３８】
次に、コントローラ１０００は、プリンタエンジン１６００へ画像データの出力を開始し、印刷ジョブに基づく画像出力の動作を完了させる。
【００３９】
すると、画像出力開始終了検知部１２５０は、後述する画像出力の開始終了検知動作により、画像出力終了を検知する（ステップＳ４０５）。
【００４０】
そして、画像出力終了を検知した画像出力開始終了検知部１２５０は、画像出力の終了タイミングを示す信号を切替部１２３０に送信し、切替部１２３０は、分周器１２２０からの低周波数クロックを選択する（ステップＳ４０６）。この際に、切替部１２３０は、短い周期のパルスが出ないように、ＬＯＷの区間で画像出力クロックを切替える。
【００４１】
次に、図２及び図４を参照して、図３のクロック周波数設定処理におけるステップＳ４０３及びＳ４０５での画像出力の開始終了検知動作について説明する。ここで、本第１実施の形態では、画像出力の開始と終了を、用紙の先端検知時に生成される検知信号又は用紙の後端検知時に生成される検知信号が入力した時点としている。
【００４２】
画像出力のために紙搬送を開始した際に、プリンタエンジン１６００のセンサ１６２０は、用紙の先端を検知すると、紙先端検知信号を出力する（図４ではＬＯＷアクティブな信号）。さらに、センサ１６２０は、用紙の後端を検知すると、紙後端検知信号（図４ではＬＯＷアクティブな信号）を出力する。
【００４３】
この紙先端検知信号は、画像出力制御部１２６０及び開始終了信号選択部１２９０へ送信される。すると、この紙先端検知信号を受信した開始終了信号選択部１２９０は、画像出力開始信号を画像出力開始終了検知部１２５０へ出力する。
【００４４】
画像出力開始終了検知部１２５０は、搬送路上を搬送されている用紙の先端がセンサ１６２０の位置から印刷位置に達する直前で画像出力クロックが高周波数クロックに切り替わるよう、センサ１６２０の位置から印刷位置に達する直前までの用紙の先端の位置に対応して動作する。このため、画像出力開始終了検知部１２５０は、画像出力開始信号から一定時間後に、画像出力の開始タイミングを示す信号を切替部１２３０に送信する。切替部１２３０はその信号に応じて画像出力クロックをＰＬＬ１２１０から出力された高周波数クロックに切替える。
【００４５】
紙後端検知信号は画像出力制御部１２６０及び開始終了信号選択部１２９０へ送信される。すると、この紙後端検知信号を受信した開始終了信号選択部１２９０は、画像出力終了信号を画像出力開始終了検知部１２５０へ出力する。
【００４６】
画像出力開始終了検知部１２５０は、画像形成部から用紙後端が搬出された直後に画像出力クロックが低周波数クロックに切り替わるよう、用紙の後端がセンサ１６２０の位置から画像形成部の終了位置以遠に至るまでの用紙の先端の位置及び速度に対応して動作する。
【００４７】
このため、画像出力開始終了検知部１２５０は、画像出力終了信号から画像形成処理が終わるまでの一定時間経過後に、画像出力の終了タイミングを示す信号を切替部１２３０に送信する。切替部１２３０はその信号に応じて画像出力クロックを分周器１２２０から出力された低周波数クロックに切替える。これにより画像形成装置は、一連の画像出力処理を終える。
【００４８】
次に、この画像形成装置において、上述した画像出力の開始終了検知動作を実行することにより得られる消費電力の削減効果について説明する。
【００４９】
この画像形成装置では、上述した画像出力クロックの切替え動作によって、画像出力のため用紙を搬送している所要時間だけ、逓倍（整数倍）高周波数クロックが画像出力制御部１２６０及びパラレルシリアル変換部１２７０に入力される。
【００５０】
また、紙先端が画像形成部１６１０に入ってから紙後端が当該区間を出るまで用紙を搬送している以外の期間では、高周波数クロックがＰＬＬ１２１０から分周器１２２０及び切替部１２３０までしか分配されない構成となっている。
【００５１】
このため、これらの期間では、ＰＬＬ１２１０、分周器１２２０及び切替部１２３０だけが高周波数クロックで動作する。
【００５２】
これらの回路と比較して、分周器１２２０から出力された低周波数クロックで動作するよう切替られる画像出力制御部１２６０及びパラレルシリアル変換部１２７０は、回路規模が格段に大きい。
【００５３】
ここで、消費電力及びノイズ発生は、クロック周波数及び回路規模に比例するという特性がある。
【００５４】
よって、画像出力時以外では、回路規模の大きい画像出力制御部１２６０及びパラレルシリアル変換部１２７０が低周波数クロックで動作する。よって、この画像形成装置では、画像出力クロックを低周波数クロックに切り替えない場合と比較して消費電力及びノイズ発生を低減することができるという効果がある。
【００５５】
次に、本発明の第２実施の形態について説明する。本第２実施の形態は、センサ１６２０が用紙の先端と後端とを検知した場合に割込み信号に基づき、ＣＰＵ１１１０が、切替部１２３０を制御して画像出力クロックを高周波数クロック又は低周波数クロックに切り替える点で、第１実施の形態と異なる。
【００５６】
すなわち、第１実施の形態では、センサ１６２０が用紙の先端と後端とを検知したことに基づいてハードウェアにより切替部１２３０を制御するものである。これに対して第２実施の形態では、図５に示すようにソフトウェアにより切替部１２３０を制御するものである。
【００５７】
図５は第２実施の形態に係る制御装置を備えた画像形成装置のプリンタ  Ｉ／Ｆ１２００の内部ハードウェア構成を示す図である。図５では、ＣＰＵ１１１０が紙先端検知割込み信号及び紙後端検知割込み信号を利用して、画像出力の開始と終了のタイミングを検出し、制御信号を介して切替部１２３０を制御する。
【００５８】
なお、本第２実施の形態では、前述した第１実施の形態と異なる部分に重点をおいて説明するものとし、第１実施の形態と共通する全体動作等の詳細な説明を省略する。
【００５９】
図５及び図６を参照して、本第２実施の形態における画像出力の開始終了検知動作について説明する。本第２実施の形態では、画像出力の開始と終了を、用紙の先端検知及び後端検知による割込み信号を利用して検知している。
【００６０】
図１に示す画像形成装置１００では、印刷ジョブの処理が開始されると、プリンタエンジン１６００内の画像形成部１６１０へ向けて用紙の搬送が開始される。プリンタエンジン１６００のセンサ１６２０は、紙搬送されている用紙の先端を検知すると、紙先端検知信号（図６ではＬＯＷアクティブな信号）を出力する。さらに、センサ１６２０は、用紙の後端を検知すると、紙後端検知信号（図６ではＬＯＷアクティブな信号）を出力する。
【００６１】
この紙先端検知信号を受信した画像出力制御部１２６０は紙先端検知信号から生成される紙先端検知割込み信号（図６ではＨＩＧＨアクティブな信号）をＣＰＵ１１１０に送信する。ＣＰＵ１１１０はその割込み信号を画像出力開始信号として検知する。
【００６２】
ＣＰＵ１１１０は、紙先端検知割り込み信号の検知から所定時間経過時に、画像出力クロックをＰＬＬ１２１０からの高周波数クロックに切替えるように切替部１２３０を制御する。なお、この所定時間は、予め分かっている紙搬送の速度と距離とから求められる、センサ１６２０が用紙の先端を検知したことによる紙先端検知割り込み信号（画像出力開始信号）をＣＰＵ１１１０が検知した時点から搬送される用紙先端が画像処理開始位置に達する時間である。
【００６３】
また、紙後端検知信号を受信した画像出力制御部１２６０は紙後端検知信号から生成される紙後端検知割込み信号をＣＰＵ１１１０に送信する（図６ではＨＩＧＨアクティブな信号）。ＣＰＵ１１１０はその割込み信号を画像出力終了信号として検知する。
【００６４】
ＣＰＵ１１１０は、紙後端検知割込み信号の検知から所定時間経過時に、画像出力クロックを高周波数クロックから分周器１２２０からの低周波数クロックに切替えるように切替部１２３０を制御する。なお、この所定時間は、予め分かっている紙搬送の速度と距離とから求められる、センサ１６２０が用紙後端を検知したことによる紙後端検知割込み信号（画像出力終了信号）をＣＰＵ１１１０が検知した時点から用紙後端が画像処理終了位置以遠まで搬送される時間である。
【００６５】
本第２の実施の形態によれば、図５に示すようにＣＰＵ１１１０が紙先端検知割込み信号を利用して画像出力の開始と終了のタイミングを検出して、ソフトウェアによる切替部１２３０の切替え制御を実行する。これによりＣＰＵ１１１０は、切替部１２３０を制御して、画像出力中だけ高周波数クロックで規模の大きい回路を駆動するようにして消費電力及びノイズ発生を低減することができるという効果がある。
【００６６】
次に、本発明の第３実施の形態について説明する。本第３実施の形態では、画像出力クロックの切替えタイミングを、有効画像出力終了を検知して生成された割込み信号（出力終了時に生成される信号）を利用して制御するものである。第３実施の形態に係る制御装置を備える画像形成装置のプリンタ  Ｉ／Ｆ１２００の内部ハードウェア構成は図５に示す第２実施の形態のそれと同一であるので、説明を省略する。
【００６７】
次に、第３実施の形態に係る制御装置を備えた画像形成装置によるクロック周波数設定処理を、図７を参照して説明する。
【００６８】
画像形成装置のコントローラ１０００は、電源ＯＮによるＡＣ電源１７００からの電力供給後に基本動作処理を開始する。そして、ＣＰＵ１１１０は、不図示の信号を介して、ＰＬＬ１２１０への逓倍（整数倍）高周波設定と、分周器１２２０への分周低周波設定とを、逓倍（整数倍）設定制御部１２４０に設定する（ステップＳ７０１）。
【００６９】
次に、ＣＰＵ１１１０は、分周器１２２０から出力された低周波数クロックを選択する状態に切替部１２３０を設定する（ステップＳ７０２）。
【００７０】
次に、コントローラ１０００は、ＰＣ２００からＰＣ  Ｉ／Ｆ１１３０を介して印刷ジョブを受信するまで待機する。そして、コントローラ１０００は、ＰＣ２００から印刷ジョブを受信すると、画像出力を開始する。すると、ＣＰＵ１１１０は、後述する画像出力の開始終了検知動作により、画像出力開始を検知する（ステップＳ７０３）。
【００７１】
次に、画像出力開始を検知したＣＰＵ１１１０は、図８に示すように、あらかじめ設定された有効画像領域（用紙上に画像が形成される領域）までの時間をカウントする（ステップＳ７０４）。この時間は、有効画像領域までの副走査ライン数に基づいて決まるものである。
【００７２】
次に、ＣＰＵ１１１０は、画像出力クロックをＰＬＬ１２１０からの高周波数クロックに切替えるよう切替部１２３０を制御する（ステップＳ７０５）。この際に、ＣＰＵ１１１０に制御された切替部１２３０は、短い周期のパルスが出ないように、クロックをＬＯＷの区間で切替える。
【００７３】
次に、コントローラ１０００は、プリンタエンジン１６００へ画像データの出力を開始し、印刷ジョブに基づく有効画像出力の動作を完了させる。
【００７４】
すると、ＣＰＵ１１１０は、後述する画像出力の開始終了検知動作により、画像出力終了を検知する（ステップＳ７０６）。
【００７５】
有効画像出力終了を検知したＣＰＵ１１１０は、画像出力クロックを分周器１２２０からの低周波数クロックに切替えるよう切替部１２３０を制御する（ステップＳ７０７）。この際に、切替部１２３０は、短い周期のパルスが出ないように、ＬＯＷの区間でクロックを切替えて処理を終了する。
【００７６】
次に、第３実施の形態に係る制御装置を備えた画像形成装置における画像出力の開始終了検知動作について図５及び図８を参照して説明する。この画像出力の開始と終了の検知は、用紙の先端検知割込み信号及び有効画像出力終了割込み信号を利用するものである。
【００７７】
プリンタエンジン１６００は、画像形成のため紙搬送を開始する。搬送された用紙先端がプリンタエンジン１６００のセンサ１６２０の位置を通過すると、当該センサ１６２０は用紙先端を検知して、紙先端検知信号を出力する（図８ではＬＯＷアクティブな信号）。
【００７８】
この紙先端検知信号を受信した画像出力制御部１２６０は紙先端検知信号から生成される紙先端検知割込み信号をＣＰＵ１１１０に送信する。ＣＰＵ１１１０はその割込み信号を画像出力開始信号として検知する。
【００７９】
そのあと、ＣＰＵ１１１０は、あらかじめ設定された有効画像領域までの時間をカウント後に、画像出力クロックをＰＬＬ１２１０からの高周波数クロックに切替えるよう切替部１２３０を制御する。
【００８０】
また、印刷ジョブに設定された有効画像の出力が終了すると、画像出力制御部１２６０は有効画像出力終了割込み信号（図８ではＨＩＧＨアクティブな信号）をＣＰＵ１１１０に送信する。ＣＰＵ１１１０はその割込み信号を画像出力終了信号として検知する。
【００８１】
画像出力終了信号を受信したＣＰＵ１１１０は、画像出力クロックを分周器１２２０からの低周波数クロックに切替えるよう切替部１２３０を制御する。
【００８２】
上述した第３実施の形態によれば、有効画像領域までの時間設定及び有効画像出力終了割込み信号の検知によって、逓倍（整数倍）高周波数クロックの分配時間を短縮することが可能となる。
【００８３】
また、本発明の画像形成装置に用いた制御装置では、画像出力開始と画像出力終了を検知するための構成を、第１、第２及び第３の実施の形態を任意に組合せて構成しても良い。例えば、紙先端検知信号を画像出力開始信号として検知し（第１実施の形態）、紙後端検知割込み信号（第２実施の形態）又は有効画像出力終了割込み信号（第３実施の形態）を画像出力終了信号として検知する構成が可能である。
【符号の説明】
【００８４】
１００  画像形成装置
１０００  コントローラ
１１００  ＡＳＩＣ
１２００  プリンタ  Ｉ／Ｆ
１２１０  ＰＬＬ
１２２０  分周器
１２３０  切替部
１２４０  逓倍（整数倍）設定制御部
１２５０  画像出力開始終了検知部
【図１】
2011233140.tif 000003
【図２】
2011233140.tif 000004
【図３】
2011233140.tif 000005
【図４】
2011233140.tif 000006
【図５】
2011233140.tif 000007
【図６】
2011233140.tif 000008
【図７】
2011233140.tif 000009
【図８】
2011233140.tif 000010
【図９】
2011233140.tif 000011